(57)【特許請求の範囲】
【請求項１】
長尺の板状となされ、その一側縁部に雄サネ部が形成され、他側縁部に雌サネ部が形成されてなる外壁材の前記雄サネ部に、他の外壁材の雌サネ部が突き合わせられ、外壁材の雄サネ部の表面に、他の外壁材の雌サネ部が重ね合わせられた状態で、これら外壁材が躯体の表面に張り上げられた外壁材取付構造において、
躯体に固定される金具本体と、外壁材の雄サネ部を保持する雄サネ受部と、この雄サネ部に対向する他の外壁材の雌サネ部を保持する雌サネ受部とを具備して躯体の表面に外壁材を取り付けるようになされた外壁材取付金具であって、
金具本体は、躯体に当接するようになされた躯体当接部と、躯体から離隔し、隣接する外壁材の雄サネ部と雌サネ部とを支持する外壁材支持部とを有する断面略ひしゃく型の板状に形成され、
雄サネ受部は、雄サネ部の設計寸法よりも大きな雄サネ部が保持できるように、金具本体の外壁材支持部から断面逆Ｌ字状に延設されるとともに、この断面逆Ｌ字状に延設された延設先端部分に外壁材の表面から裏面の方向に屈曲されたバネ部が形成され、雄サネ受部内に保持された雄サネ部がバネ部によって外壁材の表面から裏面の方向に付勢するようになされ、
雌サネ受部は、金具本体の外壁材支持部から断面Ｌ字状に延設されるとともに、雌サネ部の設計寸法よりも大きな雌サネ部が保持できるように、金具本体の外壁材支持部がセットバックされ、この外壁材支持部のセットバックされた部分から、この雌サネ受部内に向けてバネ片が突設され、雌サネ受部内に保持された雌サネ部がバネ片によって外壁材の裏面から表面の方向に付勢するようになされたことを特徴とする外壁材取付金具。
【請求項２】
長尺の板状となされ、その一側縁部に雄サネ部が形成され、他側縁部に雌サネ部が形成されてなる外壁材の前記雄サネ部に、他の外壁材の雌サネ部が突き合わせられ、外壁材の雄サネ部の表面に、他の外壁材の雌サネ部が重ね合わせられた状態で、これら外壁材が躯体の表面に張り上げられた外壁材取付構造であって、
躯体に当接するようになされた躯体当接部と、躯体から離隔し、隣接する外壁材の雄サネ部と雌サネ部とを支持する外壁材支持部とを有する断面略ひしゃく型の板状に形成され、躯体に固定される金具本体と、
雄サネ部の設計寸法よりも大きな雄サネ部が保持できるように、金具本体の外壁材支持部から断面逆Ｌ字状に延設されるとともに、この断面逆Ｌ字状に延設された延設先端部分に外壁材の表面から裏面の方向に屈曲されたバネ部が形成された雄サネ受部と、
金具本体の外壁材支持部から断面Ｌ字状に延設されるとともに、雌サネ部の設計寸法よりも大きな雌サネ部が保持できるように、金具本体の外壁材支持部がセットバックされ、この外壁材支持部のセットバックされた部分から、この雌サネ受部内に向けてバネ片が突設された雌サネ受部とを具備した外壁材取付金具によって、躯体の表面に外壁材が取り付けられてなり、
雄サネ受部内に保持された雄サネ部が、バネ部によって外壁材の表面から裏面の方向に付勢され、
雌サネ受部内に保持された雌サネ部が、バネ片によって外壁材の裏面から表面の方向に付勢されたことを特徴とする外壁材取付構造。
【発明の詳細な説明】
【０００１】
【発明の属する技術分野】
本発明は、長尺の板状に形成されたいわゆるサイディング材を躯体の表面に取り付けるための外壁材取付金具と、その取付構造とに関するものである。
【０００２】
【従来の技術】
一般に、サイディング材などの外壁材は、長尺の板状となされ、その一側縁部に雄サネ部が形成され、他側縁部に雌サネ部が形成されている。
【０００３】
従来より、この外壁材の取付構造は、雄サネ部が水平となるように躯体の表面に外壁材を設け、この雄サネ部の上方から、他の外壁材の雌サネ部を突き合わせるようにして、躯体の表面にさらに他の外壁材を設け、外壁材の雄サネ部の表面に、他の外壁材の雌サネ部を重ね合わせて、躯体の表面に外壁材を張り上げるようにしていた。そして、これら躯体の表面に設けた状態で対向する外壁材の雄サネ部と雌サネ部とを、躯体に固定した外壁材取付金具によって取り付けるようになされていた。
【０００４】
したがって、この外壁材取付金具は、躯体に固定される取付金具本体から、断面逆Ｌ字状に延設されて雄サネ部を保持するようになされた雄サネ受部と、この取付金具本体から断面Ｌ字状に延設されて雌サネ部を保持するようになされた雌サネ受部とを有するように形成されていた。
【０００５】
【発明が解決しようとする課題】
しかし、外壁材は、製造誤差による厚みのばらつきや、加工寸法のばらつきがあるので、上記従来の外壁取付金具の雄サネ受部や雌サネ受部に、確実に雄サネ部や雌サネ部を納めることができず、仕上がりがずれてしまうといった不都合を生じることとなる。また、外壁材の雄サネ部や雌サネ部が設計寸法より小さい場合には、外壁取付金具の雄サネ受部や雌サネ受部に隙間ができた状態で納まってしまい、取り付けられた外壁材ががたついてしまうといった不都合を生じることとなる。
【０００６】
本発明は、かかる実情に鑑みてなされたものであって、外壁材の製造誤差を吸収し、施工完了時の仕上がりのずれやがたつきを抑え、かつ、外壁材の表面からの外壁材に対する衝撃を吸収することができる外壁材取付金具と、その施工構造とを提供することを目的としている。
【０００７】
【課題を解決するための手段】
上記課題を解決するための本発明の外壁材取付金具は、長尺の板状となされ、その一側縁部に雄サネ部が形成され、他側縁部に雌サネ部が形成されてなる外壁材の前記雄サネ部に、他の外壁材の雌サネ部が突き合わせられ、外壁材の雄サネ部の表面に、他の外壁材の雌サネ部が重ね合わせられた状態で、これら外壁材が躯体の表面に張り上げられた外壁材取付構造において、躯体に固定される金具本体と、外壁材の雄サネ部を保持する雄サネ受部と、この雄サネ部に対向する他の外壁材の雌サネ部を保持する雌サネ受部とを具備して躯体の表面に外壁材を取り付けるようになされた外壁材取付金具であって、金具本体は、躯体に当接するようになされた躯体当接部と、躯体から離隔し、隣接する外壁材の雄サネ部と雌サネ部とを支持する外壁材支持部とを有する断面略ひしゃく型の板状に形成され、雄サネ受部は、雄サネ部の設計寸法よりも大きな雄サネ部が保持できるように、金具本体の外壁材支持部から断面逆Ｌ字状に延設されるとともに、この断面逆Ｌ字状に延設された延設先端部分に外壁材の表面から裏面の方向に屈曲されたバネ部が形成され、雄サネ受部内に保持された雄サネ部がバネ部によって外壁材の表面から裏面の方向に付勢するようになされ、雌サネ受部は、金具本体の外壁材支持部から断面Ｌ字状に延設されるとともに、雌サネ部の設計寸法よりも大きな雌サネ部が保持できるように、金具本体の外壁材支持部がセットバックされ、この外壁材支持部のセットバックされた部分から、この雌サネ受部内に向けてバネ片が突設され、雌サネ受部内に保持された雌サネ部がバネ片によって外壁材の裏面から表面の方向に付勢するようになされたものである。
【０００８】
また、上記課題を解決するための本発明の外壁材取付構造は、長尺の板状となされ、その一側縁部に雄サネ部が形成され、他側縁部に雌サネ部が形成されてなる外壁材の前記雄サネ部に、他の外壁材の雌サネ部が突き合わせられ、外壁材の雄サネ部の表面に、他の外壁材の雌サネ部が重ね合わせられた状態で、これら外壁材が躯体の表面に張り上げられた外壁材取付構造であって、躯体に当接するようになされた躯体当接部と、躯体から離隔し、隣接する外壁材の雄サネ部と雌サネ部とを支持する外壁材支持部とを有する断面略ひしゃく型の板状に形成され、躯体に固定される金具本体と、雄サネ部の設計寸法よりも大きな雄サネ部が保持できるように、金具本体の外壁材支持部から断面逆Ｌ字状に延設されるとともに、この断面逆Ｌ字状に延設された延設先端部分に外壁材の表面から裏面の方向に屈曲されたバネ部が形成された雄サネ受部と、金具本体の外壁材支持部から断面Ｌ字状に延設されるとともに、雌サネ部の設計寸法よりも大きな雌サネ部が保持できるように、金具本体の外壁材支持部がセットバックされ、この外壁材支持部のセットバックされた部分から、この雌サネ受部内に向けてバネ片が突設された雌サネ受部とを具備した外壁材取付金具によって、躯体の表面に外壁材が取り付けられてなり、雄サネ受部内に保持された雄サネ部が、バネ部によって外壁材の表面から裏面の方向に付勢され、雌サネ受部内に保持された雌サネ部が、バネ片によって外壁材の裏面から表面の方向に付勢されたものである。
【０００９】
【発明の実施の形態】
以下、本発明の実施の形態を図面を参照して説明する。
【００１０】
図１および図２は外壁材取付金具１の全体構成の概略を示し、図３および図４は同外壁材取付金具１によって外壁材２を躯体３に固定した状態を示している。
【００１１】
すなわち、この外壁材取付金具１は、金具本体１１と、雄サネ受部１２と、雌サネ受部１３とを具備して構成されている。
【００１２】
外壁材２は、図５に示すように、長さ約１９９０ｍｍ、幅約３２０ｍｍ、厚さ約１８ｍｍの長尺の板状となされ、その一側縁部に雄サネ部２１が形成され、他側縁部に雌サネ部２２が形成されている。ただし、この外壁材２の大きさについては、特に上記したものに限定されるものではなく、長尺の板状となされ、その一側縁部に雄サネ部２１が形成され、他側縁部に雌サネ部２２が形成された外壁材２であれば、陶版系サイディング材、窯業系サイディング材、木板などの各種外壁材２を使用することができる。
【００１３】
雄サネ部２１は、外壁材２の裏面側の厚み部分が、外壁材２の表面側の厚み部分よりも長手方向に沿って外方向に突設されている。この突設された先端部分は、外壁材２の雄サネ部２１を係止するための係止片２１ａとなされている。
【００１４】
雌サネ部２２は、外壁材２の裏面側の厚み部分が、外壁材２の表面側の厚み部分よりも長手方向に沿って内方向に凹設されている。また、この雌サネ部２２は、外壁材２の厚み部分の略中央に、長手方向に沿って溝部２２ａが設けられており、この溝部２２ａよりも裏面側の厚み部分は、外壁材２の雌サネ部を係止するための係止片２２ｂとなされている。
【００１５】
この外壁材２は、雄サネ部２１が水平となるように躯体３の表面に設けられ、この雄サネ部２１の上方から、他の外壁材２の雌サネ部２を突き合わせるようにして、躯体３の表面にさらに他の外壁材２を設け、外壁材２の雄サネ部２１の表面に、他の外壁材２の雌サネ部２２を重ね合わせるようにして、躯体３の表面に張り上げられる。
【００１６】
外壁材取付金具１は、躯体３の表面に固定され、この躯体３の表面に張り上げられる外壁材２を保持するようになされており、厚さ約０．８ｍｍのステンレス製鋼板を加工して構成されている。この外壁材取付金具１が固定される躯体３としては、木柱であってもよいし、この木柱の外側に貼設された下地板であってもよい。
【００１７】
金具本体１１は、図２に示すように、躯体３に当接するようになされた躯体当接部１１ａと、躯体３から離隔し、隣接する外壁材２の雄サネ部２１と雌サネ部２２とを支持するようになされた外壁材支持部１１ｂとを有し、断面略ひしゃく型の板状に形成されている。躯体当接部１１ａには、躯体３にこの外壁材取付金具１を釘やビス（図示省略）で固定するための釘孔１０が設けられている。
【００１８】
雄サネ受部１２は、金具本体１１の外壁材支持部１１ｂの両側から外方向に断面逆Ｌ字状に延設されている。この雄サネ受部１２の突設長さＬ１は、雄サネ部２１の係止片２１ａの厚みの設計寸法Ｄ１よりも大きくなされている。これにより、雄サネ受部１２は、製造誤差などによって、雄サネ部２１の係止片２１ａの厚みの設計寸法Ｄ１よりも大きくなってしまったような外壁材２であっても、ずれることなく完全に嵌め込んで保持できるようになされている。
【００１９】
また、断面逆Ｌ字状に延設された雄サネ受部１２のうち、外壁材支持部１１ｂと平行することとなる延設先端部分は、外壁材支持部１１ｂの方向に屈曲されてバネ部１２ａを構成するようになされている。これにより、雄サネ受部１２は、製造誤差などによって、雄サネ部２１の係止片２１ａの厚みの設計寸法Ｄ１よりも小さくなってしまったような外壁材２であっても、このバネ部１２ａの付勢力が働くので、がたつくことなく保持できることとなる。
【００２０】
したがって、外壁材２の雄サネ部２１の係止片２１ａは、厚みの設計寸法Ｄ１に製造誤差があっても、この雄サネ受部１２に保持することができ、雄サネ受部１２は、バネ部１２ａの付勢力によって、雄サネ部２１を、外壁材２の表面から裏面の方向Ａに付勢した状態で、保持することとなる。
【００２１】
雌サネ受部１３は、金具本体１１の外壁材支持部１１ｂの中央部から外方向に断面Ｌ字状に延設されている。この雌サネ受部１３の延設先端部分と対向する外壁材支持部１１ｂは、雄サネ受部１２の延設先端部分と対向する外壁材支持部１１ｂよりも躯体当接部１１ａの方向にセットバックさせている。このセットバックさせたぶんだけ、雌サネ受部１３の突設長さＬ２は、雌サネ部２２の係止片２２ｂの厚みの設計寸法Ｄ２よりも大きくなされている。これにより、雌サネ受部１３は、製造誤差などによって、雌サネ部２２の係止片２２ｂの厚みの設計寸法Ｄ２よりも大きくなってしまったような外壁材２であっても、ずれることなく完全に嵌め込んで保持できるようになされている。
【００２２】
また、断面逆Ｌ字状に延設された雌サネ受部１３の延設先端部分と対向する外壁材支持部１１ｂの両側部分には、躯体３側から外壁材２の方向にバネ片１３ａが突設されている。これにより、雌サネ受部１３は、製造誤差などによって、雌サネ部２２の係止片２２ｂの厚みの設計寸法Ｄ２よりも小さくなってしまったような外壁材２であっても、このバネ片１３ａの付勢力が働くので、がたつくことなく保持できることとなる。
【００２３】
したがって、外壁材２の雌サネ部２２の係止片２２ｂは、厚みの設計寸法Ｄ２に製造誤差があっても、この雌サネ受部１３ａに保持することができ、雌サネ受部１３は、バネ片１３ａの付勢力によって、雌サネ部２２を、外壁材２の裏面から表面の方向Ｂに付勢した状態で、所定の位置に保持することとなる。
【００２４】
また、雌サネ受部１３の突設長さＬ２は、雌サネ部２２の係止片２２ｂの厚みの設計寸法Ｄ２よりも大きくしてるが、これは、外壁材支持部１１ｂよりも躯体当接部１１ａの方向にセットバックさせることによって大きくしたものであり、雌サネ受部１３の延設先端部の位置を、さらに外壁材２の表面側の方向に延設させるといったことはしていないので、この雌サネ受部１３に、外壁材２の雌サネ部２２の係止片２２ｂを嵌め込んでも、外壁材２は、表面側の方向に出っ張らず、所定の位置に納めることができる。
【００２５】
この外壁材取付金具１を使用した外壁材２の取付構造によると、外壁材２の雄サネ部２１の係止片２１ａの設計寸法Ｄ１や、雌サネ部２２の係止片２２ｂの設計寸法Ｄ２に製造誤差を生じた場合であっても、これらの寸法誤差を吸収してずれやがたつきを生じることなく、外壁材２を躯体３に取り付けることができる。
【００２６】
また、この取付状態で、外壁材２は、雄サネ部２１を外壁材２の表面から裏面の方向Ａに付勢し、雌サネ部２２を外壁材２の裏面から表面の方向Ｂに付勢するようになされているので、製品誤差が大きくなった場合であっても、対向する雄サネ部２１と雌サネ部２２とが緩衝し合うといったことを防止でき、しかも雌サネ部２２を外壁材２の裏面から表面の方向Ａに付勢しているぶん、外壁材２の表面からの外壁材２に対する衝撃を吸収することができる。また、雌サネ部２２を外壁材２の裏面から表面の方向Ａに付勢しているが、雌サネ受部１３は、延設先端部の位置を延設させず、この延設先端部に対向する部分をセットバックさせているので、外壁材２は、裏面から表面の方向Ａに付勢されても、表面側に出っ張らず、隣接する外壁材２同士の表面を揃えて所定の位置に納めることができる。
【００２７】
【発明の効果】
以上述べたように、本発明によると、雄サネ受部は、金具本体から断面逆Ｌ字状に延設し、雄サネ部の設計寸法よりも大きな雄サネ部を保持可能としているので、製品誤差で雄サネ部の設計寸法よりも大きくなされた雄サネ部であっても、ずれることなく保持できる。この雄サネ受部は、断面逆Ｌ字状に延設された延設先端部分に外壁材の表面から裏面の方向に屈曲したバネ部を形成しているので、製品誤差で雄サネ部の設計寸法よりも小さくなされた雄サネ部であっても、雄サネ受部内に保持された雄サネ部を、バネ部によって外壁材の表面から裏面の方向に付勢した状態でがたつくことなく保持できる。
【００２８】
また、雌サネ受部は、金具本体の外壁材支持部から断面逆Ｌ字状に延設するとともに、この外壁材支持部をセットバックさせて、雌サネ部の設計寸法よりも大きな雌サネ部を保持可能としているので、製品誤差で雌サネ部の設計寸法よりも大きくなされた雌サネ部であっても、ずれることなく保持できる。この雌サネ受部は、金具本体の外壁材支持部からこの雌サネ受部内に向けてバネ片を突設しているので、製品誤差で雌サネ部の設計寸法よりも小さくなった雌サネ部であっても、雌サネ受部内に保持された雌サネ部を、バネ片によって外壁材の裏面から表面の方向に付勢した状態でがたつくことなく保持できる。また、この外壁材を付勢しているバネ片は、金具本体の外壁材支持部をセットバックさせた部分に設けているので、付勢によって外壁材自体が表面側に出っ張らず、隣接する外壁材同士の表面を揃えて所定の位置に納めることができる。
【００２９】
さらに、外壁材の雄サネ部を外壁材の表面から裏面の方向に付勢し、この雄サネ部の表面に重ね合わされる雌サネ部を外壁材の裏面から表面の方向に付勢するようになされているので、製品誤差が大きくなった場合であっても、対向する雄サネ部と雌サネ部とが緩衝し合うといったことを防止でき、しかも雌サネ部を外壁材の裏面から表面の方向に付勢しているぶん、外壁材の表面からの外壁材に対する衝撃を吸収することができる。
【図面の簡単な説明】
【図１】本発明にかかる外壁材取付金具の全体構成の概略を示す斜視図である。
【図２】（ａ）は本発明にかかる外壁材取付金具の全体構成の概略を示す正面図、（ｂ）は同外壁材取付金具の側面図である。
【図３】本発明にかかる外壁材取付金具を用いた外壁材取付構造の要部を示す部分断面図である。
【図４】本発明にかかる外壁材取付構造の全体構成の概略を示す断面図である。
【図５】外壁材の全体構成の概略を示す部分省略斜視図である。
【符号の説明】
１  外壁材取付金具
１１  金具本体
１２  雄サネ受部
１２ａ  バネ部
１３  雌サネ受部
１３ａ  バネ片
２  外壁材
２１  雄サネ部
２２  雌サネ部
３  躯体
Ａ  方向
Ｂ  方向
Ｄ１  設計寸法
Ｄ２  設計寸法
【図１】
0003649685.tif 000002
【図２】
0003649685.tif 000003
【図３】
0003649685.tif 000004
【図４】
0003649685.tif 000005
【図５】
0003649685.tif 000006